(57)【要約】【課題】  市場調査を予め行うことなく、入札者の希望する広告枠を提供することができる広告枠取引装置、広告枠取引方法、プログラムおよび記録媒体を提供する。【解決手段】  広告枠取引装置１は、コンテンツ記憶部１８と、入札制御部１３と、入札状況記憶部１４と、広告枠記憶部１６と、コンテンツ制御部１７とを含む。入札制御部１３は、入札者の数、および前記入札者によって提示された入札金額に応じて、入札者のコンテンツを表示させる時間帯を再配分した広告枠を再設定する。これによって、入札者は、入札制御部１３によって再設定された広告枠を確認して、広告枠の購入を検討することができる。広告枠取引装置１は、入札者のニーズに合わせた広告枠を提供することができる。【選択図】      図１
2011022871.tif 000002
【特許請求の範囲】
【請求項１】
予め配分された時間帯に表示装置の表示部に広告を表示させることができる広告枠が設定され、前記広告枠の競売による取引を管理するための広告枠取引装置であって、
前記広告枠の競売に情報通信網を介する通信によって参加する入札者を識別するための識別情報と、前記入札者が希望する広告枠に表示されるべき広告を表す広告情報とを、互いに関連付けられた状態で記憶する広告記憶部と、
前記広告枠の競売に入札する入札者の数、および前記入札者によって提示された入札金額に応じて、前記入札者の広告を表示させる時間帯を再配分した広告枠を再設定する入札制御部と、
前記入札制御部によって再設定された広告枠に関する広告枠情報を記憶する入札状況記憶部と、
前記競売期間の終了後に、前記入札状況記憶部に記憶される広告枠情報に従って、前記広告記憶部に記憶される広告情報の中から前記再設定後の広告枠を落札した入札者の広告情報を、前記表示装置へ配信する広告制御部とを含むことを特徴とする広告枠取引装置。
【請求項２】
入札者の識別情報と、入札者の連絡先を表す連絡先情報とを、互いに関連付けられた状態で記憶する入札者情報記憶部をさらに含み、
前記入札制御部は、前記入札者情報記憶部に記憶される入札者の連絡先情報が示す連絡先へ、前記広告枠情報を送信することを特徴とする請求項１に記載の広告枠取引装置。
【請求項３】
前記入札制御部は、前記入札者の数が複数であるとき、入札金額が最も高額の入札者の広告枠を、競売開始時の広告枠の時間帯と同一の時間帯の広告枠に再設定し、前記複数の入札者のうち前記入札金額が最も高額の入札者以外の残余の入札者の広告枠を、前記競売開始時の広告枠の時間帯とは異なる他の時間帯の広告枠に再設定することを特徴とする請求項１または２に記載の広告枠取引装置。
【請求項４】
前記入札制御部は、前記競売開始時の広告枠の時間帯よりも前でかつ前記競売開始時の広告枠の時間帯に最も近接する時間帯の広告枠、および前記競売開始時の広告枠の時間帯よりも後でかつ前記競売開始時の広告枠の時間帯に最も近接する時間帯の広告枠のうちいずれか一方の広告枠に、前記残余の入札者のうち入札金額が高額の入札者から順次的に、前記他の時間帯の広告枠を再設定することを特徴とする請求項３に記載の広告枠取引装置。
【請求項５】
前記入札制御部は、前記入札者の数が複数であるとき、競売開始時の広告枠の時間帯を前記入札者の数で分割し、分割した複数の時間帯を前記複数の入札者の広告枠に再設定することを特徴とする請求項１または２に記載の広告枠取引装置。
【請求項６】
前記入札制御部は、前記複数の入札者の中で入札金額が高額の入札者から順次的に、長時間でかつ早い時刻の時間帯の広告枠に、前記複数の入札者の広告枠を再設定することを特徴とする請求項５に記載の広告枠取引装置。
【請求項７】
予め配分された時間帯に表示装置の表示部に広告を表示させることができる広告枠が設定され、前記広告枠の競売による取引を管理するための広告枠取引方法であって、
前記広告枠の競売に情報通信網を介する通信によって参加する入札者を識別するための識別情報と、前記入札者が希望する広告枠に表示されるべき広告を表す広告情報とを、互いに関連付けられた状態で記憶する広告記憶工程と、
前記広告枠の競売に入札する入札者の数、および前記入札者によって提示された入札金額に応じて、前記入札者の広告を表示させる時間帯を再配分した広告枠を再設定する入札制御工程と、
前記入札制御工程によって再設定された広告枠に関する広告枠情報を記憶する入札状況記憶工程と、
前記競売期間の終了後に、前記入札状況記憶工程で記憶される広告枠情報に従って、前記広告記憶工程で記憶される広告情報の中から前記再設定後の広告枠を落札した入札者の広告情報を、前記表示装置へ配信する広告制御工程とを含むことを特徴とする広告枠取引方法。
【請求項８】
コンピュータを、請求項１〜６のいずれか１つに記載の広告枠取引装置として機能させるための広告枠取引プログラム。
【請求項９】
請求項８に記載の広告枠取引プログラムを記録したコンピュータ読み取り可能な記録媒体。
【発明の詳細な説明】
【技術分野】
【０００１】
本発明は、競売による広告枠の取引を管理する広告枠取引装置、広告枠取引方法、プログラムおよび記録媒体に関する。
【背景技術】
【０００２】
図１３は、従来の技術に係る広告枠のオークションシステム６の構成を示す図である。特許文献１に記載される広告枠取引装置の一例である広告枠のオークションシステム６は、入札者の端末装置５１と、オークションを管理するオークション管理サーバ５２と、オークションに係る広告枠の情報を管理する広告枠情報管理サーバ５３と、落札者との間で広告枠の取引を行う取引実行システム５４とを含む。
【０００３】
端末装置５１と、オークション管理サーバ５２と、広告枠情報管理サーバ５３と、取引実行システム５４とは、互いにインターネットなどのネットワーク５５によって接続される。オークションシステム６によって、広告枠の販売主と入札者との間で、予め定める広告枠について、オークションによる取引を行うことができる。これによって、オークションシステム６では、広域なネットワーク５５を介して、販売主および入札者を制限することなく、広告枠の取引を行う。
【０００４】
図１４は、従来の技術に係る広告枠取引システム７の構成を示す図である。特許文献２に記載される広告枠取引装置の他の例である広告枠取引システム７は、広告枠の取引を管理する市場管理部５６と、広告の配信を実行する広告送出管理部５７と、広告を表示する視聴者端末５８と、広告枠の情報を登録するメディア端末５９と、希望する広告枠に対して入札を行うスポンサー端末６０とを含む。
【０００５】
スポンサー端末６０とメディア端末５９とは、ネットワークを介して市場管理部５６に接続され、広告枠の取引を行う。市場管理部５６は、スポンサーが配信を希望する広告を登録する。メディアは、入札が行われる前に、市場管理部５６に登録された広告の承認を行う。これによって、広告枠取引システム７では、落札者の決定後に、メディアによる広告の承認を行うことなく、広告を配信する。
【先行技術文献】
【特許文献】
【０００６】
【特許文献１】特開２００２−２１６０１７号公報
【特許文献２】特開２００２−１９７２９５号公報
【発明の概要】
【発明が解決しようとする課題】
【０００７】
しかし、特許文献１，２に記載されるオークションシステム６および広告枠取引システム７は、広告枠の販売主が、広告を表示する時間帯、および広告を表示する時間の長さなどを予め設定している。したがって、特許文献１，２に記載されるオークションシステム６および広告枠取引システム７では、入札者の要望、たとえば広告費を低額に抑えて短時間だけスポット的に広告を表示させたいなどに対して、柔軟に対応することができない。
【０００８】
また、広告枠の販売主は、販売対象である広告枠の時間帯を設定するときに、入札者の希望する広告枠、たとえば広告を表示させる時間帯および時間の長さについて、予め調査しなければならない。
【０００９】
本発明の目的は、市場調査を予め行うことなく、入札者の希望する広告枠を提供することができる広告枠取引装置、広告枠取引方法、プログラムおよび記録媒体を提供することである。
【課題を解決するための手段】
【００１０】
本発明は、予め配分された時間帯に表示装置の表示部に広告を表示させることができる広告枠が設定され、前記広告枠の競売による取引を管理するための広告枠取引装置であって、
前記広告枠の競売に情報通信網を介する通信によって参加する入札者を識別するための識別情報と、前記入札者が希望する広告枠に表示されるべき広告を表す広告情報とを、互いに関連付けられた状態で記憶する広告記憶部と、
前記広告枠の競売に入札する入札者の数、および前記入札者によって提示された入札金額に応じて、前記入札者の広告を表示させる時間帯を再配分した広告枠を再設定する入札制御部と、
前記入札制御部によって再設定された広告枠に関する広告枠情報を記憶する入札状況記憶部と、
前記競売期間の終了後に、前記入札状況記憶部に記憶される広告枠情報に従って、前記広告記憶部に記憶される広告情報の中から前記再設定後の広告枠を落札した入札者の広告情報を、前記表示装置へ配信する広告制御部とを含むことを特徴とする広告枠取引装置である。
【００１１】
また本発明は、入札者の識別情報と、入札者の連絡先を表す連絡先情報とを、互いに関連付けられた状態で記憶する入札者情報記憶部をさらに含み、
前記入札制御部は、前記入札者情報記憶部に記憶される入札者の連絡先情報が示す連絡先へ、前記広告枠情報を送信することを特徴とする。
【００１２】
また本発明は、前記入札制御部は、前記入札者の数が複数であるとき、入札金額が最も高額の入札者の広告枠を、競売開始時の広告枠の時間帯と同一の時間帯の広告枠に再設定し、前記複数の入札者のうち前記入札金額が最も高額の入札者以外の残余の入札者の広告枠を、前記競売開始時の広告枠の時間帯とは異なる他の時間帯の広告枠に再設定することを特徴とする。
【００１３】
また本発明は、前記入札制御部は、前記競売開始時の広告枠の時間帯よりも前でかつ前記競売開始時の広告枠の時間帯に最も近接する時間帯の広告枠、および前記競売開始時の広告枠の時間帯よりも後でかつ前記競売開始時の広告枠の時間帯に最も近接する時間帯の広告枠のうちいずれか一方の広告枠に、前記残余の入札者のうち入札金額が高額の入札者から順次的に、前記他の時間帯の広告枠を再設定することを特徴とする。
【００１４】
また本発明は、前記入札制御部は、前記入札者の数が複数であるとき、競売開始時の広告枠の時間帯を前記入札者の数で分割し、分割した複数の時間帯を前記複数の入札者の広告枠に再設定することを特徴とする。
【００１５】
また本発明は、前記入札制御部は、前記複数の入札者の中で入札金額が高額の入札者から順次的に、長時間でかつ早い時刻の時間帯の広告枠に、前記複数の入札者の広告枠を再設定することを特徴とする。
【００１６】
また本発明は、予め配分された時間帯に表示装置の表示部に広告を表示させることができる広告枠が設定され、前記広告枠の競売による取引を管理するための広告枠取引方法であって、
前記広告枠の競売に情報通信網を介する通信によって参加する入札者を識別するための識別情報と、前記入札者が希望する広告枠に表示されるべき広告を表す広告情報とを、互いに関連付けられた状態で記憶する広告記憶工程と、
前記広告枠の競売に入札する入札者の数、および前記入札者によって提示された入札金額に応じて、前記入札者の広告を表示させる時間帯を再配分した広告枠を再設定する入札制御工程と、
前記入札制御工程によって再設定された広告枠に関する広告枠情報を記憶する入札状況記憶工程と、
前記競売期間の終了後に、前記入札状況記憶工程で記憶される広告枠情報に従って、前記広告記憶工程で記憶される広告情報の中から前記再設定後の広告枠を落札した入札者の広告情報を、前記表示装置へ配信する広告制御工程とを含むことを特徴とする広告枠取引方法である。
【００１７】
また本発明は、コンピュータを、前記広告枠取引装置として機能させるための広告枠取引プログラムである。
【００１８】
また本発明は、前記広告枠取引プログラムを記録したコンピュータ読み取り可能な記録媒体である。
【発明の効果】
【００１９】
本発明によれば、予め配分された時間帯に表示装置の表示部に広告を表示させることができる広告枠が設定され、広告枠の競売による取引を管理するにあたって、広告枠取引装置は、広告記憶部と、入札制御部と、入札状況記憶部と、広告制御部とを含んで構成される。広告記憶部によって、広告枠の競売に情報通信網を介する通信によって参加する入札者を識別するための識別情報と、入札者が希望する広告枠に表示されるべき広告を表す広告情報とが、互いに関連付けられた状態で記憶される。入札制御部によって、広告枠の競売に入札する入札者の数、および入札者によって提示された入札金額に応じて、入札者の広告を表示させる時間帯を再配分した広告枠が再設定される。入札状況記憶部によって、入札制御部によって再設定された広告枠に関する広告枠情報が記憶される。広告制御部によって、競売期間の終了後に、入札状況記憶部に記憶される広告枠情報に従って、広告記憶部に記憶される広告情報の中から再設定後の広告枠を落札した入札者の広告情報が、表示装置へ配信される。
【００２０】
入札制御部は、入札金額に応じた重み付けを行って広告枠を再設定するので、入札者が納得しやすい広告枠を提示することができる。これによって、広告枠取引装置は、入札者に販売する広告枠を短時間で自動的に再設定して、複数の入札者に効率良く複数の広告枠を販売することができる。
【００２１】
また入札制御部は、全ての入札者の広告枠を再設定するので、最高額入札者のみならず、最高額入札者以外の入札者に対しても、再設定された広告枠を提示することができる。したがって、広告枠取引装置は、１つの広告枠の競売において、最高額入札者および最高額入札者以外の入札者に、複数の広告枠を効率良く販売することができる。
【００２２】
また広告制御部によって、広告枠の競売期間の終了後に、表示装置に落札者の広告が自動的に配信されるので、表示装置の管理を容易に行うことができる。これによって、広告枠取引装置は、広告枠の販売から広告の配信までを、自動的に効率良く行うことができる。
【００２３】
また本発明によれば、広告枠取引装置は、入札者情報記憶部をさらに含んで構成される。入札者情報記憶部によって、入札者の識別情報と、入札者の連絡先を表す連絡先情報とが、互いに関連付けられた状態で記憶される。入札制御部によって、入札者情報記憶部に記憶される入札者の連絡先情報が示す連絡先へ、広告枠情報が送信される。
【００２４】
これによって、入札者は、再設定された広告枠の時間帯、すなわち自分の広告が表示される時間帯を知ることができる。仮に入札者が、再設定された時間帯に不服があるときには、入札者は、たとえば現在の入札金額よりも高額の入札金額を再度提示して広告枠を変更する、または入札を取消すなどの対応を行うことができる。したがって、入札者は、再設定された広告枠を予め確認し、納得した広告枠を購入することができる。これによって、広告枠販売装置は、入札者が納得する広告枠の競売を、自動的に効率良く行うことができる。
【００２５】
また本発明によれば、入札制御部によって、入札者の数が複数であるとき、入札金額が最も高額の入札者の広告枠が、競売開始時の広告枠の時間帯と同一の時間帯の広告枠に再設定され、複数の入札者のうち入札金額が最も高額の入札者以外の残余の入札者の広告枠が、競売開始時の広告枠の時間帯とは異なる他の時間帯の広告枠に再設定される。
【００２６】
これによって、最高額入札者は、希望する時間帯の広告枠の入札を継続することができる。最高額入札者以外の残余の入札者は、希望する時間帯とは異なる時間帯の広告枠について確認し、広告枠を購入する予算に応じた広告枠の購入を検討することができる。仮に競売の対象となっている広告枠以外に空いている広告枠、すなわち購入者が決まっていない広告枠がある場合、広告枠販売装置は、最高額入札者以外の残余の入札者に、その空いている広告枠を提示することができる。したがって、広告枠販売装置は、複数の入札者に対して、競売対象の広告枠および競売対象の広告枠とは異なる広告枠を、効率良く同時に販売することができる。
【００２７】
また本発明によれば、入札制御部によって、競売開始時の広告枠の時間帯よりも前でかつ競売開始時の広告枠の時間帯に最も近接する時間帯の広告枠、および競売開始時の広告枠の時間帯よりも後でかつ競売開始時の広告枠の時間帯に最も近接する時間帯の広告枠のうちいずれか一方の広告枠に、残余の入札者のうち入札金額が高額の入札者から順次的に、他の時間帯の広告枠が再設定される。
【００２８】
これによって、最高額入札者以外の入札者のうち入札金額が高額の入札者から順次的に、本来希望していた広告枠の時間帯に最も近接する時間帯の広告枠を購入する機会が得られる。また、広告枠販売装置は、競売の対象となっている時間帯の広告枠の前後に最も近接する時間帯の広告枠をも、入札者に効率良く販売することができる。
【００２９】
また本発明によれば、入札制御部によって、入札者の数が複数であるとき、競売開始時の広告枠の時間帯が入札者の数で分割され、分割された複数の時間帯が複数の入札者の広告枠に再設定される。
【００３０】
これによって、同じ時間帯の広告枠を複数の入札者が分け合って購入することができる。したがって、入札者は、入札金額に応じた長さの時間帯の広告枠を購入することができる。また広告枠の販売者は、競売を開始する前に広告枠の時間帯を細かく設定する必要がないので、広告枠を容易にかつ効率良く販売することができる。
【００３１】
また本発明によれば、入札制御部によって、複数の入札者の中で入札金額が高額の入札者から順次的に、長時間でかつ早い時刻の時間帯の広告枠に、複数の入札者の広告枠が再設定される。
【００３２】
これによって、入札金額が高額の入札者は、入札金額が低額の入札者よりも広告効果を高めることができる。入札金額が低額の入札者は、短い時間の広告枠に、スポット的に広告を表示することができる。したがって、広告枠販売装置は、入札者のニーズに沿った広告枠を自動的に各入札者に提供することができる。
【００３３】
また本発明によれば、予め配分された時間帯に表示装置の表示部に広告を表示させることができる広告枠が設定され、広告枠の競売による取引を管理するにあたって、広告枠取引方法は、広告記憶工程と、入札制御工程と、入札状況記憶工程と、広告制御工程とを含む。広告記憶工程によって、広告枠の競売に情報通信網を介する通信によって参加する入札者を識別するための識別情報と、入札者が希望する広告枠に表示されるべき広告を表す広告情報とが、互いに関連付けられた状態で記憶される。入札制御工程によって、広告枠の競売に入札する入札者の数、および入札者によって提示された入札金額に応じて、入札者の広告を表示させる時間帯を再配分した広告枠が再設定される。入札状況記憶工程によって、入札制御工程によって再設定された広告枠に関する広告枠情報が記憶される。広告制御工程によって、競売期間の終了後に、入札状況記憶工程で記憶される広告枠情報に従って、広告記憶工程で記憶される広告情報の中から再設定後の広告枠を落札した入札者の広告情報が、表示装置へ配信される。
【００３４】
入札制御工程によって、入札金額に応じた重み付けを行って広告枠を再設定するので、入札者が納得しやすい広告枠を提示することができる。これによって、広告枠取引方法では、入札者に販売する広告枠を短時間で自動的に再設定して、複数の入札者に効率良く複数の広告枠を販売することができる。
【００３５】
また入札制御工程によって、全ての入札者の広告枠を再設定するので、最高額入札者のみならず、最高額入札者以外の入札者に対しても、再設定された広告枠を提示することができる。したがって、広告枠取引方法では、１つの広告枠の競売において、最高額入札者および最高額入札者以外の入札者に、複数の広告枠を効率良く販売することができる。
【００３６】
また広告制御工程によって、広告枠の競売期間の終了後に、表示装置に落札者の広告が自動的に配信されるので、表示装置の管理を容易に行うことができる。これによって、広告枠取引方法では、広告枠の販売から広告の配信までを、自動的に効率良く行うことができる。
【００３７】
また本発明によれば、広告枠取引プログラムは、コンピュータを、広告枠取引装置として機能させる。これによって、コンピュータを、広告枠取引装置として機能させる広告枠取引プログラムを提供することができる。
【００３８】
また本発明によれば、コンピュータ読み取り可能な記録媒体は、広告枠取引プログラムを記録する。これによって、広告枠取引プログラムを記録するコンピュータ読み取り可能な記録媒体を提供することができる。
【図面の簡単な説明】
【００３９】
【図１】本発明の一実施形態に係る広告枠取引装置１の構成を示すブロック図である。
【図２】コンテンツ記憶部１８によって記憶される登録コンテンツ情報３１の一例を示す図である。
【図３】入札者情報記憶部１５によって記憶される入札者情報３２の一例を示す図である。
【図４】入札制御部１３による広告枠の再設定を説明するための図である。
【図５】広告枠記憶部１６によって記憶される広告枠確定情報３４の一例を示す図である。
【図６】入札者が入札者端末２６で行う処理を示すフローチャートである。
【図７】広告枠取引装置１が入札者端末２６との間で行う処理を示すフローチャートである。
【図８】広告枠取引装置１が図７のステップｂ７で行う処理を説明するためのフローチャートである。
【図９】本発明の他の実施形態に係る広告枠取引装置１の入札制御部１３を説明するための図である。
【図１０】入札状況記憶部１４によって記憶される入札状況情報３６の一例を示す図である。
【図１１】本発明の他の実施形態に係る入札制御部１３による広告枠の再設定を説明するための図である。
【図１２】広告枠取引装置１が図７のステップｂ７で行う処理を説明するためのフローチャートである。
【図１３】従来の技術に係る広告枠のオークションシステム６の構成を示す図である。
【図１４】従来の技術に係る広告枠取引システム７の構成を示す図である。
【発明を実施するための形態】
【００４０】
図１は、本発明の一実施形態に係る広告枠取引装置１の構成を示すブロック図である。広告枠取引装置１は、入札者認証部１１と、通信部１２と、入札制御部１３と、入札状況記憶部１４と、入札者情報記憶部１５と、広告枠記憶部１６と、コンテンツ制御部１７と、コンテンツ記憶部１８と、コンテンツ登録部１９と、料金徴収部２０と、コンテンツ配信部２１とを含んで構成される。広告枠取引装置１は、入札者端末２６と、表示装置２７とに接続される。本発明の広告枠競売方法は、広告枠取引装置１によって実行される。
【００４１】
広告枠取引装置１は、半導体メモリおよびハードディスク装置などの図示しない記憶装置と、図示しない中央処理装置（Central Processing Unit：以下「ＣＰＵ」という）とを含むコンピュータシステムによって構成される。広告枠取引装置１は、１つのコンピュータシステムによって実現する構成にしてもよく、複数のコンピュータシステムによって実現して互いにＬＡＮ（Local Area Network）またはＷＡＮ（Wide Area Network）などのネットワークを通じてデータの送受信を行う構成にしてもよい。
【００４２】
広告枠取引装置１は、予め定める時間帯ごとの広告枠についてのオークション、すなわち競売による取引を管理する。広告枠とは、予め配分された時間帯に、表示装置２７の表示部にコンテンツを表示させることができる権利をいう。広告主は、オークションの入札を行う前に、オークションの管理者に、表示装置２７への表示を希望する広告を提出し、オークションへの参加の承認を求める。管理者は、広告主に対して、オークションに参加するために用いる識別情報であるＩＤ（Identification）およびパスワードを通知する。
【００４３】
オークションへの入札を行っている広告主を、以後「入札者」ともいう。オークションに入札している入札者のうち、オークション期間が終了して広告枠を落札した入札者を、以後「落札者」ともいう。広告は、画像または映像からなり、たとえば商品または興行物などを多くの人に知らしめるためのものである。以後、広告を「コンテンツ」といい、広告を表す広告情報を「コンテンツデータ」という。
【００４４】
広告登録部であるコンテンツ登録部１９は、オークションが開始される前に入札者から予め提出されたコンテンツを登録する。コンテンツ登録部１９は、図示しない表示手段および図示しない入出力手段を有する。管理者は、表示手段によって、広告主から提出されたコンテンツの内容を予め確認し、コンテンツの内容が適切であるか否かを判断することができる。具体的には、管理者は、コンテンツの内容が著作権など第３者の権利を侵害していないか否か、コンテンツの内容が表示装置２７の設置場所に相応しい内容であるか否かなどを判断する。管理者によって適切であると判断されたコンテンツが、コンテンツ記憶部１８に記憶されることによって、コンテンツの登録処理が完了する。
【００４５】
また、本実施形態の広告枠取引装置１は、オークション開始前に管理者によってコンテンツの確認が行われるけれども、オークション期間中、すなわちオークションの開始後からオークション終了までの間に管理者によってコンテンツの確認が行われる構成であってもよい。
【００４６】
広告記憶部であるコンテンツ記憶部１８は、たとえばハードディスクドライブ、光ディスクドライブ、ＲＡＭ（Random Access Memory）などのメモリによって実現される。コンテンツ記憶部１８は、管理者によって適切であると判断されたコンテンツを記憶する。コンテンツ記憶部１８は、入札者のコンテンツを表すコンテンツデータと、入札者のＩＤを表す識別情報とを互いに関連付けられた状態で記憶する。コンテンツは、コンテンツ登録部１９からコンテンツ制御部１７を介してコンテンツ記憶部１８に送られる。
【００４７】
図２は、コンテンツ記憶部１８によって記憶される登録コンテンツ情報３１の一例を示す図である。登録コンテンツ情報３１は、ＩＤを示す項目３１ａと、コンテンツデータを示す項目３１ｂとを含む。たとえば登録コンテンツ情報３１は、入札者ＡのＩＤとコンテンツデータとを互いに関連付け、入札者ＢのＩＤとコンテンツデータとを互いに関連付け、入札者ＣのＩＤとコンテンツデータとを互いに関連付け、ｎ番目の入札者のＩＤとコンテンツデータとを互いに関連付けていることを示す。「ｎ」は自然数を示し、入札者がｎ人いる場合、コンテンツ記憶部１８によって、ｎ人全員のＩＤとコンテンツデータとが関連付けられる。
【００４８】
通信部１２は、入出力インターフェイスなどを含んで構成され、たとえばＬＡＮまたはＷＡＮなどの情報通信網２８によって、入札者端末２６に接続される。入札制御部１３が指示することによって、通信部１２と入札者端末２６とは、ネットワークを介して互いに通信可能である。入札者端末２６から入力された情報は、通信部１２を介して、入札制御部１３に送られる。
【００４９】
入札者端末２６は、たとえばパーソナルコンピュータ、携帯電話、ＰＤＡ（Personal 
Digital Assistance）などによって実現される。図１では、３つの入札者端末２６が通信部１２に接続される構成を示しているけれども、入札者端末２６は１以上で構成することができる。広告主は、オークション期間中に、入札者端末２６から入札条件を入力することによって入札を行う。入札条件とは、入札金額および表示時間帯などである。「入札金額」とは、入札時に提示する広告枠の購入代金のことである。「表示時間帯」は、コンテンツを表示させる時間帯、すなわち２４時間のうちどの時刻からどの時刻の間にコンテンツを表示させるのかを示す。
【００５０】
さらに入札条件に、表示期間、表示時間、または視聴者の性別および年齢を加えてもよい。「表示期間」は、コンテンツの表示させる時間の合計の長さを示す。「表示時間」は、１つのコンテンツが広告枠の時間帯の中で表示される時間の長さを示す。たとえば１９時から２０時までの時間帯の広告枠にコンテンツを１週間表示させるときは、表示期間は７時間となり、表示時間は１時間となる。
【００５１】
「視聴者の性別および年齢」は、如何なる性別および年齢の視聴者にコンテンツの視聴を希望するのかを示す。広告枠取引装置１は、入札者から視聴者の性別および年齢に関する情報を得ることによって、その視聴者の性別および年齢の視聴者が多い表示装置２７を抽出して、入札者に提示する構成としてもよい。これによって、入札者は、予め指定する性別および年齢層の視聴者が多い表示装置２７に、コンテンツを表示させることができ、広告効果を上げることができる。
【００５２】
入札者認証部１１は、ＩＤおよびパスワードを用いることによって、入札者が、事前にオークションへの参加の承認を受けている者であるか否かを判断する。入札者認証部１１は、オークションへの参加を承認されていない者が、入札を行うことを防止することができる。
【００５３】
入札者情報記憶部１５は、たとえばハードディスク、光ディスク、ＲＡＭ（Random 
Access Memory）などの情報の記憶が可能なメモリによって実現される。入札者情報記憶部１５は、入札者のＩＤを表わす識別情報と、入札者の連絡先を表す連絡先情報とを、互いに関連付けられた状態で記憶する。ＩＤは、オークションに参加する入札者を識別するための識別情報である。入札者は、初めて入札を行うとき、またはオークションへの参加の承認を求めるときなどに、入札者の連絡先、たとえば電子メールのアドレスなどを登録する。
【００５４】
図３は、入札者情報記憶部１５によって記憶される入札者情報３２の一例を示す図である。入札者情報３２は、入札者のＩＤを示す項目３２ａと、連絡先を示す項目３２ｂとを含む。たとえば入札者情報３２は、入札者ＡのＩＤと電子メールのアドレスとを互いに関連付け、入札者ＡのＩＤと電子メールのアドレスとを互いに関連付け、入札者ＡのＩＤと電子メールのアドレスとを互いに関連付けていることを示す。
【００５５】
入札制御部１３には、広告枠のオークションに入札する入札者の数、および入札者によって提示された入札金額が入力される。入札制御部１３は、入札が行われると、入札者の数および入札金額に応じて、入札者のコンテンツを表示させる時間帯を再配分した広告枠を再設定する。たとえば入札制御部１３は、入札金額から１時間あたりのコンテンツの表示料金である広告表示単価を算出し、入札者の広告表示単価を比較することによって、入札者の広告枠を再設定する。入札制御部１３は、各入札者の連絡先に、再設定した広告枠に関する広告枠情報および全ての入札者の入札金額を通知する。さらに入札制御部１３は、広告枠を再設定した後に、同じ時間帯の広告枠に新たな入札、または入札金額の変更があると、入札者の数および入札金額に応じて、全ての入札者の広告枠を再設定する。
【００５６】
図４は、入札制御部１３による広告枠の再設定を説明するための図である。入札制御部１３は、広告枠の競売に入札する入札者の数が複数であるとき、入札金額が最も高額の入札者の広告枠を、競売開始時の広告枠の時間帯と同一の時間帯の広告枠に再設定する。入札金額が最も高額の入札者を、最高額入札者という。さらに入札制御部１３は、複数の入札者のうち最高額入札者以外の残余の入札者の広告枠を、競売開始時の広告枠の時間帯とは異なる他の時間帯の広告枠に再設定する。
【００５７】
入札制御部１３は、残余の入札者のうち入札金額が高額の入札者から順次的に、広告枠を再設定する。この再設定された後の広告枠は、競売開始時の広告枠の時間帯よりも前でかつ競売開始時の広告枠の時間帯に最も近接する時間帯の広告枠、および競売開始時の広告枠の時間帯よりも後でかつ競売開始時の広告枠の時間帯に最も近接する時間帯の広告枠のうちいずれか一方の広告枠である。
【００５８】
図４（１）は、たとえば参照符３３ａによって示される１９時から２０時までの時間帯の広告枠について、オークションが行われている場合に、入札者Ａが入札金額１０００円で入札中であることを示す。入札者Ｂは、オークション期間中に入札金額１２００円で入札を行うと、現時点での最高額入札者となる。
【００５９】
入札制御部１３は、入札者Ａの入札を、１９時から２０時までの時間帯の広告枠から、参照符３３ｂによって示される１８時から１９時までの時間帯の広告枠に移動させる。図４（２）は、１９時から２０時までの時間帯の広告枠に入札者Ｂが入札金額１２００円で入札し、１８時から１９時までの時間帯の広告枠に入札者Ａが入札金額１０００円で入札中であるとこを示す。
【００６０】
入札状況記憶部１４は、たとえばハードディスク、光ディスク、ＲＡＭなどの情報の記憶が可能なメモリによって実現される。入札状況記憶部１４は、予め定める時間帯の広告枠ごとに、入札制御部１３によって再設定された広告枠に関する広告枠情報と、入札者のＩＤを表す識別情報とを、互いに関連付けられた状態で記憶する。
【００６１】
広告枠記憶部１６は、たとえばハードディスク、光ディスク、ＲＡＭなどの情報の記憶が可能なメモリによって実現される。広告枠記憶部１６は、落札期間が終了すると、入札状況記憶部１４に記憶されている再設定された広告枠に関する広告枠情報と、入札者のＩＤを表す識別情報とを、互いに関連付けられた状態で記憶する。オークションは、予め定める時間帯の広告枠ごとに行われるので、広告枠記憶部１６は、オークションが終了した広告枠について、入札状況記憶部１４に記憶されている情報を順次記憶する。これによって、広告枠記憶部１６は、表示装置２７にコンテンツを表示させる予定表を作成することができる。
【００６２】
図５は、広告枠記憶部１６によって記憶される広告枠確定情報３４の一例を示す図である。広告枠確定情報３４は、コンテンツを表示する日付を示す項目３４ａと、コンテンツを表示する時間帯を示す項目３４ｂとを含む。たとえば、日付を示す項目３４ａには、「４／１」、「４／２」などが示され、時間帯を示す項目３４ｂには、「第１時間帯」、「第２時間帯」、「第３時間帯」、「第４時間帯」、「第５時間帯」、「第６時間帯」、……、「第ｎ時間帯」が示される。たとえば各広告枠の時間の長さを１時間に設定した場合、１日には２４の広告枠が存在することになり、「ｎ」は２４となる。広告枠確定情報３４の中の日付および時間帯によって分けられた各広告枠には、各広告枠についてのオークションが終了した時点における入札状況記憶部１４に記憶されている情報が入力される。広告枠確定情報３４は、広告枠取引装置１が表示装置２７にコンテンツを表示させる予定表である。
【００６３】
コンテンツ配信部２１は、入出力インターフェイスなどを含んで構成され、たとえばＷＡＮ、ＬＡＮなどの通信線２９によって、表示装置２７と接続される。コンテンツ配信部２１は、コンテンツ制御部１７の指示によって、コンテンツを表示装置２７に配信する。
【００６４】
表示装置２７は、たとえば交通機関、公共施設、店頭などに設置されるデジタルサイネージ（Digital Signage：電子看板）である。表示装置２７は、図示しない表示部を含んで構成され、表示部は、たとえば液晶ディスプレイ、プラズマディスプレイ、有機ＥＬディスプレイ、発光ダイオード、映像プロジェクタ、またはブラウン管などによって実現される。表示装置２７の表示部は、コンテンツ配信部２１から配信されたコンテンツを表示する。表示装置２７は、デジタルサイネージのみに限らず、テレビ放送、データ放送、Ｗｅｂサイトなどを表示する装置によって構成してもよい。
【００６５】
コンテンツ制御部１７は、オークション期間の終了後、入札状況記憶部１４に記憶される広告枠確定情報３４に従って、コンテンツ記憶部１８に記憶されるコンテンツデータの中から再設定後の広告枠を落札した入札者のコンテンツデータを、表示装置２７へ配信する。前述のように、入札制御部１３が再設定した広告枠は、オークション期間中には入札状況記憶部１４に記憶され、オークション期間終了後には広告枠記憶部１６に記憶される。コンテンツ制御部１７は、広告枠記憶部１６に記憶されている広告枠確定情報３４に従って、コンテンツ配信部２１から表示装置２７へコンテンツを配信する。
【００６６】
コンテンツ制御部１７は、コンテンツを表示装置２７に表示した時間の長さに応じて、支払金額を算出する。支払金額とは、落札者に対して支払いを求めるコンテンツの表示料金である。料金徴収部２０は、コンテンツ制御部１７によって算出された支払金額分の料金を落札者から徴収する。料金の徴収は、たとえば落札者の銀行口座から料金を引落すことなどによって行われる。
【００６７】
図６は、入札者が入札者端末２６によって行う処理を示すフローチャートである。入札者が入札者端末２６から広告枠取引装置１に通信を行い、入札者認証部１１によって登録済みの入札者であると認証されると、ステップａ０に進んで処理が開始される。
【００６８】
ステップａ１では、入札制御部１３は、入札者端末２６が入札を要求しているか否かを判断する。入札者端末２６が入札を要求していると判断された場合、ステップａ２に進み、入札者端末２６が入札を要求していないと判断された場合、ステップａ１での処理が再び行われる。
【００６９】
ステップａ２では、入札制御部１３は、入札の要求を行った入札者端末２６に、各時間帯の広告枠についての入札者の数および入札金額などの入札状況を送信する。入札者は、入札者端末２６を用いて各時間帯の広告枠に対する入札状況を入手する。
【００７０】
ステップａ３では、入札者は、入手した入札状況を確認して、入札を行う時間帯の広告枠を選択し、入札者端末２６に入力する。ステップａ４では、入札者は、選択した時間帯の広告枠に入札する入札金額を入札者端末２６に入力する。
【００７１】
ステップａ５では、入札者端末２６は、入札者によって広告枠の時間帯、および入札金額が正しく入力されているか否かを確認する。入札者端末２６が、時間帯および入札金額が正しく入力されていると判定すると、ステップａ６に進み、時間帯および入札金額のうち少なくとも１つが入力されていないと判定すると、ステップａ３に進む。
【００７２】
ステップａ６では、入札者端末２６は、入札者のＩＤと、広告枠の時間帯と、入札金額とを、入札制御部１３に送信する。ステップａ７では、入札制御部１３は、入札者端末２６から送信された広告枠の時間帯および入札金額に基づいて、入札状況を更新し、更新した入札状況を入札者端末２６に送信する。入札者端末２６は、入札制御部１３から送信された入札状況を受信する。
【００７３】
ステップａ８では、入札者端末２６は、受信した入札状況を表示する。入札状況には、入札者の数、入札金額、および再設定された広告枠に関する広告枠情報などが含まれる。入札者は、入札者端末２６に表示される入札状況を確認する。
【００７４】
ステップａ９では、入札者端末２６は、サーバ、すなわち入札制御部１３からの連絡を受信したか否かを判断する。入札者端末２６によって、入札制御部１３からの連絡を受信したと判断された場合、ステップａ１０に進み、入札制御部１３からの連絡を受信していない判断された場合、ステップａ９での処理が再び行われる。
【００７５】
ステップａ１０では、入札者端末２６は、入札制御部１３から受信した連絡が、入札確定連絡、すなわちオークション期間が終了して入札が確定したことを知らせる連絡であるか否かを判定する。また入札者端末２６は、入札確定連絡ではない連絡は、入札状況に変化があり新たに更新された入札状況を知らせる連絡であると判定する。入札者端末２６によって、入札確定連絡であると判定された場合、ステップａ１１に進み、入札確定連絡でないと判定された場合、ステップａ１２に進む。
【００７６】
ステップａ１１では、入札者端末２６は、入札確定連絡が示す確定状況、すなわち入札が確定した時点での各入札者の再設定された広告枠および各入札者の入札金額を表示し、ステップａ１９に進んで処理が終了する。
【００７７】
ステップａ１２では、入札者端末２６は、更新された入札状況を表示させる。広告枠の競売に入札が行われると入札制御部１３によって広告枠が再設定されるので、入札者は、再設定された広告枠を確認することができる。
【００７８】
ステップａ１３では、入札者は、入札者端末２６に表示される更新された入札状況を確認して、入札を降りる、すなわち入札を取消すか否かを判断する。たとえば入札者は、入札制御部１３によって再設定された広告枠に不服があるときに、入札を取消すことができる。入札者が、入札を降りると判断した場合、ステップａ１４に進み、入札を降りないと判断した場合、ステップａ１５に進む。ステップａ１４では、入札者端末２６は、入札制御部１３に入札を降りることを送信し、ステップａ１９に進んで処理が終了する。
【００７９】
ステップａ１５では、入札者は、入札金額を変更するか否かを判断する。たとえば入札者は、入札制御部１３によって再設定された広告枠に不服がある場合、さらに高額の入札金額を提示することができる。また入札者は、入札制御部１３によって再設定された広告枠に不服がない場合、入札金額を変更せずに再設定された広告枠を許容することもできる。入札者によって、入札金額を変更すると判断された場合、ステップａ１６に進み、入札金額を変更しないと判断された場合、ステップａ１８に進む。
【００８０】
ステップａ１６では、入札者は、新たな入札金額を入札者端末２６に入力する。ステップａ１７では、入札者端末２６は、入札者によって入力された新たな入札金額を、入札制御部１３に送信して、ステップａ７に進む。ステップａ１８では、入札者端末２６は、入札金額を変更しないことをサーバ、すなわち入札制御部１３に送信して、ステップａ７に進む。
【００８１】
図７は、広告枠取引装置１が入札者端末２６との間で行う処理を示すフローチャートである。広告枠の競売期間が始まる前に広告記憶工程が行われ、コンテンツ記憶部１８によって、入札者のコンテンツが記憶される。広告枠取引装置１が入札を受付ける準備が完了して、広告枠のオークション期間が始まると、ステップｂ０に進んで処理が開始される。
【００８２】
ステップｂ１では、入札制御部１３は、入札者端末２６から入札の要求が受信されたか否かを判定する。入札制御部１３によって、入札者端末２６からの入札要求が受信されたと判定された場合、ステップｂ２に進み、入札者端末２６からの入札要求が受信されていないと判定された場合、ステップｂ１での処理が再び行われる。ステップｂ２では、入札制御部１３は、入札を行った入札者端末２６に、各時間帯の広告枠についての入札状況を送信する。
【００８３】
ステップｂ３では、入札制御部１３は、入札者端末２６から送信された広告枠の時間帯が有効であるか否かを判定する。たとえば入札制御部１３は、入札者端末２６から送信された広告枠の時間帯が、すでに落札されているときに、有効でない時間帯が選択されたと判定する。入札制御部１３によって、有効な時間帯でないと判定された場合、ステップｂ４に進み、有効な時間帯であると判定された場合、ステップｂ５に進む。
【００８４】
ステップｂ４では、入札制御部１３は、エラーであること、すなわち入札者端末２６から送信された広告枠の時間帯についての情報が有効でないことを、入札者端末２６に送信して、ステップｂ１に進む。
【００８５】
ステップｂ５では、入札制御部１３は、入札者によって選択された時間帯についての情報を読み出す。ステップｂ６では、入札制御部１３は、選択された時間帯に、競合する入札があるか否かを判定する。入札制御部１３によって、競合する入札があると判定された場合、ステップｂ７に進み、競合する入札がないと判定された場合、ステップｂ８に進む。
【００８６】
入札制御工程であるステップｂ７では、入札制御部１３は、競合する入札者の数および各入札者の入札金額に応じて、各入札者の広告枠を再設定する。ステップｂ８では、入札制御部１３は、各入札者の入札者端末２６に、入札状況を送信する。この送信は、入札者情報記憶部１５よって記憶されている入札者の連絡先、たとえば電子メールアドレスに行われる。入札状況には、入札者の数、入札金額、および再設定された広告枠に関する広告枠情報などが含まれる。
【００８７】
入札状況記憶工程であるステップｂ９では、入札状況記憶部１４は、入札制御部１３が再設定した広告枠に関する広告枠情報、入札者のＩＤを表す識別情報、および入札者の入札金額を表す入札金額情報を、互いに関連付けられた状態で記憶する。ステップｂ１０では、入札制御部１３は、入札者端末２６から入札を降りる旨の連絡を受信したか否かを判定する。入札制御部１３によって、入札を降りる旨の連絡を受信したと判定された場合、ステップｂ１１に進み、入札を降りる旨の連絡を受信していないと判定された場合、ステップｂ１２に進む。
【００８８】
ステップｂ１１では、入札制御部１３は、入札を降りる旨を連絡してきた入札者の入札情報を入札状況記憶部１４から削除して、ステップｂ７に進む。ステップｂ１２では、入札制御部１３は、入札者端末２６が入札金額を変更したか否かを判定する。入札制御部１３によって、入札者端末２６が入札金額を変更したと判定された場合、ステップｂ５に進み、入札者端末２６が入札金額を変更していないと判定された場合、ステップｂ１３に進む。
【００８９】
ステップｂ１３では、入札制御部１３は、オークションが行われている広告枠について、入札終了時刻、すなわちオークションの期間が終了する日時になったか否かを判定する。入札制御部１３によって、入札終了時刻であると判定された場合、ステップｂ１４に進み、入札終了時刻でないと判定された場合、ステップｂ１に進む。
【００９０】
ステップｂ１４では、広告枠記憶部１６は、確定した落札情報、すなわちオークション期間終了時において入札状況記憶部１４に記憶されている広告枠に関する広告枠情報、落札者のＩＤを表す識別情報、および落札者の入札金額を表す入札金額情報を、互いに関連付けられた状態で記憶する。ステップｂ１５では、入札制御部１３は、確定状況を落札者に送信する。確定状況とは、オークション終了時点で入札状況記憶部１４に記憶されている再設定された広告枠に関する広告枠情報が含まれる。
【００９１】
広告制御工程であるステップｂ１６では、コンテンツ制御部１７は、確定状況、すなわち広告枠記憶部１６に記憶されている広告枠確定情報３４に従って、コンテンツを表示装置２７の表示部に表示させる。表示装置２７に表示させるコンテンツは、コンテンツ制御部１７によってコンテンツ記憶部１８から読み出され、コンテンツ制御部１７の指示によってコンテンツ配信部２１から表示装置２７に配信される。ステップｂ１７では、料金徴収部２０は、落札者から落札金額を徴収し、ステップｂ１８に進んで処理が終了する。
【００９２】
図８は、広告枠取引装置１が図７のステップｂ７で行う処理を説明するためのフローチャートである。入札制御部１３が入札者の広告枠を再設定するとき、ステップｃ０に進んで処理が開始される。
【００９３】
ステップｃ１では、入札制御部１３は、先に入札した入札者が提示した入札金額と、後に入札した入札者が提示した入札金額とを比較して、先に入札された入札金額が後に入札された入札金額よりも高額であるか否かを判定する。入札制御部１３によって、先に入札された入札金額が後に入札された入札金額よりも高額であると判定された場合、ステップｃ２に進み、後に入札された入札金額が先に入札された入札金額よりも高額であると判定された場合、ステップｃ３に進む。
【００９４】
ステップｃ２では、入札制御部１３は、後に入札されたコンテンツを移動候補として設定し、ステップｃ４に進む。ステップｃ３では、入札制御部１３は、先に入札されたコンテンツを移動候補として設定し、ステップｃ４に進む。ステップｃ４では、入札制御部１３は、選択された時間帯、すなわち入札が行われている広告枠の時間帯の前後に最も近接する時間帯についての情報を、広告枠記憶部１６から読み出す。
【００９５】
ステップｃ５では、入札制御部１３は、選択された時間帯の前の時間帯が空いている、すなわち選択された時間帯の前に最も近接する時間帯の広告枠について購入者が決定していないか否かを判定する。入札制御部１３によって、選択された時間帯の前の時間帯が空いていると判定された場合、ステップｃ６に進み、選択された時間帯の前の時間帯が空いていないと判定された場合、ステップｃ８に進む。
【００９６】
ステップｃ６では、入札制御部１３は、移動候補の入札者のコンテンツを、前の時間帯に表示すると設定する。ステップｃ７では、入札制御部１３は、コンテンツを表示する時間帯を前の時間帯に設定した旨のメッセージを作成し、ステップｃ１２に進む。
【００９７】
ステップｃ８では、入札制御部１３は、選択された時間帯の後の時間帯が空いている、すなわち選択された時間帯の後に最も近接する時間帯の広告枠について購入者が決定していないか否かを判定する。入札制御部１３によって、選択された時間帯の後の時間帯が空いていると判定された場合、ステップｃ９に進み、選択された時間帯の後の時間帯が空いていないと判定された場合、ステップｃ１１に進む。
【００９８】
ステップｃ９では、入札制御部１３は、移動候補の入札者のコンテンツを、後の時間帯に表示すると設定する。ステップｃ１０では、入札制御部１３は、コンテンツを表示する時間帯を後の時間帯に設定した旨のメッセージを作成し、ステップｃ１２に進む。ステップｃ１１では、入札制御部１３は、入札者端末２６に対して再入札が必要である旨のメッセージを作成し、ステップｃ１２に進む。
【００９９】
ステップｃ１２では、入札制御部１３は、移動候補ではない入札者に送信するメッセージを作成する。このメッセージは、移動候補ではない入札者に、選択された時間帯の広告枠における現時点での最高額入札者であることを知らせるものである。作成後、ステップｃ１３に進んで処理が終了する。
【０１００】
本実施形態では、ステップｃ５，ｃ８において、後の時間帯よりも前の時間帯を優先して広告枠が空いているか否かを判定しているけれども、前の時間帯よりも後の時間帯を優先して広告枠が空いているか否かを判定してもよい。また、選択された広告枠の時間帯の前または後に最も近接する時間帯のうち、入札者が希望する時間帯を予め指定する構成であってもよい。これによって、入札制御部１３は、次点入札者の希望する時間帯に、次点入札者のコンテンツを移動させることができる。
【０１０１】
また本実施形態では、ステップｃ４において、入札制御部１３は、選択された時間帯の前後に最も近接する時間帯の情報を読み出しているけれども、選択された時間帯の前および後の空いている時間帯を検索してもよい。入札制御部１３は、この検索によって探し出された時間帯のうち、選択された時間帯の前または後に最も近接する時間帯に、移動候補のコンテンツを移動させる制御を行ってもよい。これによって、広告枠取引装置１は、入札者に対して、空いている時間帯の広告枠があることを知らせ、空いている時間帯の広告枠の購入を勧めることができる。入札者は、空いている時間帯を自ら探すことなく他の時間帯の広告枠に入札することができる。広告枠の販売者は、空いている時間帯の広告枠を効率良く競売によって販売することができる。
【０１０２】
図９は、本発明の他の実施形態に係る広告枠取引装置１の入札制御部１３を説明するための図である。１９時から２０時までの時間帯の広告枠のオークションに、入札者Ａと入札者Ｂとが入札しているとき、入札制御部１３は、各入札者の新たな広告枠を設定する。参照符４１で示す入札者ＡのコンテンツＡと、参照符４２で示す入札者ＢのコンテンツＢとは、１９時から２０時までの時間帯に表示される。
【０１０３】
本実施形態の広告枠取引装置１は、図１に示した広告枠取引装置１と同じ構成であるので、広告枠取引装置１の構成についての説明は、重複を避けるため省略する。本実施形態の広告枠取引装置１は、図１に示した広告枠取引装置１と比較して、入札制御部１３が行う広告枠の再設定のみが異なる。
【０１０４】
入札制御部１３は、広告枠の競売に入札する入札者の数が複数であるとき、競売開始時の広告枠の時間帯を前記入札者の数で分割し、分割した複数の時間帯を前記複数の入札者の広告枠に再設定する。入札制御部１３は、複数の入札者の中で入札金額が高額の入札者から順次的に、長時間でかつ早い時刻の時間帯の広告枠に、複数の入札者の広告枠を再設定する。
【０１０５】
たとえば１９時から２０時までの時間帯の広告枠に、入札者Ａと入札者Ｂとが入札した場合、入札制御部１３は、入札者ＡのコンテンツＡと入札者ＢのコンテンツＢとを、共に１９時から２０時までの時間帯の広告枠に表示すると決定する。入札制御部１３は、入札者Ａの入札金額と入札者Ｂの入札金額とに応じて、１９時から２０時までの時間帯に、コンテンツＡとコンテンツＢとをそれぞれ表示する時間の割合を決定する。
【０１０６】
入札制御部１３は、各コンテンツの広告表示単価を、
「広告表示単価」＝「入札金額」／「表示期間」
によって算出する。「広告表示単価」とは、１時間あたりのコンテンツの表示代金であり、「表示期間」とは、落札時に設定されているコンテンツを表示させる時間の長さの合計である。
【０１０７】
たとえば入札者Ａは、コンテンツＡについて、入札金額１０００００円、表示期間５００時間で入札しているので、広告表示単価は、２００（円／時間）となる。入札者Ｂは、コンテンツＢについて、入札金額３００００円、表示期間１００時間で入札しているので、広告表示単価は、３００（円／時間）となる。
【０１０８】
入札制御部１３は、各コンテンツの表示時間割合を、
「表示時間割合」＝「広告表示単価」／（各入札者の「広告表示単価」の合計）
によって算出する。「表示時間割合」とは、１つのコンテンツが広告枠の時間帯中に表示される時間の割合である。たとえば、入札者Ａの表示時間割合は、２００／（２００＋３００）によって算出され、０．４となる。入札者Ｂの表示時間割合は、同様に算出され、０．６となる。
【０１０９】
入札制御部１３は、各コンテンツの表示時間を、
「表示時間」＝「広告枠の時間帯の長さ」×「表示時間割合」
によって算出する。「表示時間」とは、１つのコンテンツが広告枠の時間帯の中で表示される時間の長さである。たとえば、入札者Ａの表示時間は、６０（分）×０．４によって算出され、２４分となる。入札者Ｂの表示時間は、同様に算出され、３６分となる。
【０１１０】
また、入札制御部１３は、各コンテンツの表示スケジュールを算出する。表示スケジュールとは、広告枠の時間帯の中でコンテンツを表示する時刻を示す。入札制御部１３は、表示時間が最も長いコンテンツ、すなわち広告表示単価の高いコンテンツから順次的に表示させる。コンテンツＢは、コンテンツＡよりも表示時間が長いので、コンテンツＢの表示スケジュールは、１９時０分から１９時３６分までとなる。コンテンツＡの表示スケジュールは、１９時３７分から２０時０分までとなる。
【０１１１】
入札状況記憶部１４は、入札者のＩＤを表す識別情報と、入札金額を表す入札金額情報と、入札制御部１３によって再設定された広告枠に関する広告枠情報とを、互いに関連付けられた状態で記憶する。オークション期間が終了すると、広告枠記憶部１６は、入札状況記憶部１４に記憶されている落札者のＩＤを表す識別情報と、入札金額を表す入札金額情報と、入札制御部１３によって再設定された広告枠に関する広告枠情報とを、互いに関連付けられた状態で記憶する。
【０１１２】
オークション期間の終了後、コンテンツ制御部１７は、広告枠記憶部１６によって記憶されている広告枠確定情報３４に従って、落札者のコンテンツをコンテンツ配信部２１から表示装置２７に配信する。その後コンテンツ表示部は、各コンテンツの残表示期間を、
「残表示期間」＝「前回算出された残表示期間」−「今回表示した表示時間」
によって算出する。「前回算出された残表示期間」がない場合は、「前回算出された残表示期間」の代わりに「表示期間」を用いて算出する。たとえばコンテンツＡの残表示期間は、５００（時間）−２４（分）によって算出され、４９９時間３６分となる。コンテンツＢの残表示期間は、同様に算出され、４９９時間２４分となる。
【０１１３】
コンテンツ制御部１７は、残表示期間を表す情報を広告枠記憶部１６に記憶させて、コンテンツごとの残表示期間を管理する。コンテンツ制御部１７は、各コンテンツの残表示期間が０になるまで、各コンテンツを表示装置２７に表示させる。
【０１１４】
コンテンツ制御部１７は、入札者の支払い金額を、
「支払い金額」＝「広告表示単価」×「表示領域割合」×「表示時間」
によって算出する。「表示領域割合」は、表示装置２７の全ての表示領域のうちコンテンツを表示した領域の割合を示す。コンテンツが全表示領域に表示されたとき、表示領域割合は、１となる。たとえば、入札者Ａの支払い金額は、２００（円／時間）×１×０．４（時間）によって算出され、８０円となる。入札者Ｂの支払い金額は、同様に算出され、１８０円となる。コンテンツ制御部１７は、算出した各コンテンツの支払い金額と、落札者のＩＤとを互いに関連付けて、広告枠記憶部１６に記憶させる。
【０１１５】
コンテンツ制御部１７は、各時間帯にコンテンツを配信、すなわちコンテンツを表示装置２７に表示させることが完了すると、累積支払い金額を、
「累積支払い金額」＝「支払い金額の合計値」
によって算出する。コンテンツ制御部１７は、コンテンツごとに算出した累積支払い金額と、落札者のＩＤとを互いに関連付けて、広告枠記憶部１６に記憶させる。
【０１１６】
コンテンツ制御部１７は、入札条件の変更がなく全ての表示時間のコンテンツの配信を終了した場合、配信が終了したコンテンツの累積支払い金額を算出する。コンテンツ制御部１７は、全ての表示時間のコンテンツの配信を終了する前に入札条件の変更があった場合、入札条件の変更前に配信したコンテンツに対しての累積支払い金額を算出する。料金徴収部２０は、コンテンツ制御部１７によって算出された累積支払い金額を、落札者に請求する。
【０１１７】
本実施形態の広告枠管理装置では、入札者は全員落札者となるけれども、予め定める落札条件を満たす入札者のみを落札者とする構成にしてもよい。たとえば落札条件として最低表示時間を設定することによって、算出された表示時間が最低表示時間に満たない入札者が落札者にならないようにすることができる。また落札条件として最低落札金額を設定することによって、入札金額が最低落札金額に満たない入札者が落札者とならないようにすることができる。
【０１１８】
図１０は、入札状況記憶部１４によって記憶される入札状況情報３６の一例を示す図である。入札状況情報３６は、日付および時間帯によって特定される広告枠についての、入札者のＩＤを示す項目３６ａと、入札金額、すなわち広告表示単価を示す項目３６ｂと、表示時間割合を示す項目３６ｃと、表示スケジュールを示す項目３６ｄとを含む。表示時間割合を示す項目３６ｃと、表示スケジュールを示す項目３６ｄとは、再設定された広告枠に関する広告枠情報を示す。
【０１１９】
たとえば入札状況情報３６は、５月６日の第４時間帯の広告枠について、入札者Ａの広告表示単価が１０００円、表示時間割合が３３％、および表示スケジュールが３０分から５０分の間であることを示し、入札者Ｂの広告表示単価が１５００円、表示時間割合が５０％、および表示スケジュールが０分から３０分の間であることを示し、入札者Ｃの広告表示単価が５００円、表示時間割合が１７％、および表示スケジュールが５０分から６０分の間であることを示している。
【０１２０】
図１１は、本発明の他の実施形態に係る入札制御部１３による広告枠の再設定を説明するための図である。図１１（１）は、１９時から２０時までの時間帯の広告枠についてオークションが行われていて、参照符４６によって示す入札者Ａが１０００円の入札金額で入札している状態を示し、参照符４７によって示す入札者Ｂが１５００円の入札金額で入札している状態を示す。入札制御部１３は、前述のように、１９時から２０時までの時間帯の中での、入札者Ａおよび入札者Ｂの広告枠をそれぞれ再設定している。
【０１２１】
図１１（２）は、図１１（１）に示した状態から、参照符４８によって示す入札者Ｃが５００円の入札金額で、１９時から２０時までの時間帯の広告枠のオークションに入札した状態を示す。新たな入札者Ｃによって入札が行われると、入札制御部１３は、各入札者Ａ，Ｂ，Ｃの入札金額に応じて、各入札者の新たな広告枠を設定する。
【０１２２】
図１２は、広告枠取引装置１が図７のステップｂ７で行う処理を説明するためのフローチャートである。本実施形態の広告枠取引装置１は、前述のように、図１に示した広告枠取引装置１と類似の構成であり、広告枠取引装置１と入札者端末２６との間で図６，図７で示したフローチャートと同一の処理が行われるので、重複を避けるため説明を省略する。
【０１２３】
図１２のフローチャートにおいて、入札制御部１３が入札者の広告枠を再設定するとき、ステップｄ０に進んで処理が開始される。ステップｄ１では、入札制御部１３は、「ｎ＝１」と設定し、ステップｄ２では、入札制御部１３は、「ｋ＝０」と設定する。「ｎ」は、自然数であって入札者の数を表し、「ｋ」は、入札金額を表すものとする。
【０１２４】
ステップｄ３では、入札制御部１３は、「ｋ＝ｋ＋（ｎ人目の入札金額）」として、入札金額の合計値を算出する。ステップｄ４では、入札制御部１３は、「ｎ＝入札人数」であるか否かを判定する。入札制御部１３によって、ｎが入札人数と異なると判定された場合、ステップｄ５に進み、ｎが入札人数と同じであると判定された場合、ステップｄ６に進む。ステップｄ５では、入札制御部１３は、「ｎ＝ｎ＋１」と設定して、ステップｄ３に進む。
【０１２５】
ステップｄ６では、入札制御部１３は、「ｎ＝１」と設定し、ステップｄ７に進む。ステップｄ７では、入札制御部１３は、数式「表示時間割合＝（ｎ人目の入札金額）／ｋ」に従って、コンテンツの表示割合を算出して、ステップｄ８に進む。ステップｄ８では、入札制御部１３は、数式「表示時間＝（広告枠の時間帯の長さ）／表示時間割合」に従って、コンテンツの表示割時間を算出して、ステップｄ９に進む。
【０１２６】
ステップｄ９では、入札制御部１３は、ｎ人目の入札者のコンテンツの表示時間を、入札状況記憶部１４に記憶させる。ステップｄ１０では、入札制御部１３は、「ｎ＝入札人数」であるか否かを判定する。入札制御部１３によって、ｎが入札人数と異なると判定された場合、ステップｄ１１に進み、ｎが入札人数と同じであると判定された場合、ステップｄ１２に進む。ステップｄ１１では、入札制御部１３は、「ｎ＝ｎ＋１」と設定して、ステップｄ７に進む。
【０１２７】
ステップｄ１２では、入札制御部１３は、算出した表示時間の大きいコンテンツから小さいコンテンツに順次的に、コンテンツを並べて、ステップｄ１３に進む。これによって、入札金額が高額の入札者のコンテンツから入札金額が低額の入札者のコンテンツへと順次的に、入札対象の広告枠の時間帯の中でコンテンツが並べられる。
【０１２８】
ステップｄ１３では、入札制御部１３は、入札者のコンテンツを表示する時刻を割り振って、すなわちコンテンツを表示する時刻を決定して、ステップｄ１４に進む。入札制御部１３によって、表示スケジュールが作成され、作成された表示スケジュールは、入札状況記憶部１４に記憶される。ステップｄ１４では、入札制御部１３は、入札者に対して、コンテンツを表示する時刻および時間の長さを知らせるメッセージを作成し、ステップｄ１５に進んで処理が終了する。
【０１２９】
広告枠取引装置１の記憶装置に記憶される制御プログラムは、コンピュータを、入札者認証部１１と、通信部１２と、入札制御部１３と、入札状況記憶部１４と、入札者情報記憶部１５と、広告枠記憶部１６と、コンテンツ制御部１７と、コンテンツ記憶部１８と、コンテンツ登録部１９と、料金徴収部２０と、コンテンツ配信部２１の各手段として機能させるための広告枠取引プログラムとして提供することができる。
【０１３０】
広告枠取引装置１では、広告枠取引プログラムがたとえば半導体メモリまたはハードディスク装置などの記憶装置に記憶されているが、これらの記憶装置に限定されるものではなく、コンピュータで読み取り可能な記録媒体に記録されていてもよい。記録媒体は、たとえば図示しない外部記憶装置としてプログラム読取装置を設け、そこに記録媒体を挿入することによって読み取り可能な記録媒体であってもよいし、または他の装置の記憶装置であってもよい。
【０１３１】
いずれの記録媒体であっても、記憶されている広告枠取引プログラムがコンピュータからアクセスされて実行される構成であればよい。またはいずれの記録媒体であっても、広告枠取引プログラムが読み出され、読み出された広告枠取引プログラムが、記憶装置のプログラム記憶エリアに記憶されて、広告枠取引プログラムが実行される構成であればよい。
【０１３２】
本体と分離可能に構成される記録媒体は、たとえば磁気テープ／カセットテープなどのテープ系の記録媒体、フレキシブルディスク／ハードディスクなどの磁気ディスク、ＣＤ−ＲＯＭ（Compact Disk Read Only Memory）／ＭＯ（Magneto Optical disk）／ＭＤ（Mini Disc）／ＤＶＤ（Digital Versatile Disk）／ブルーレイディスクなどの光ディスクのディスク系の記録媒体、メモリカードを含むＩＣ（Integrated Circuit）カード／光カードなどのカード系の記録媒体、またはマスクＲＯＭ／ＥＰＲＯＭ（Erasable 
Programmable Read Only Memory）／ＥＥＰＲＯＭ（Electrically Erasable 
Programmable Read Only Memory）／フラッシュＲＯＭなどの半導体メモリを含む固定的にプログラムを担持する記録媒体であってもよい。したがって、広告枠取引装置１の各手段として機能させるための広告枠取引プログラムを記録したコンピュータ読み取り可能な記録媒体として提供することができる。
【０１３３】
広告枠取引プログラムが、コンピュータ読み取り可能な記録媒体に記録されていなくても、通信ネットワークを介して他の装置から広告枠取引プログラムのダウンロードを行い、広告枠取引装置１のプログラム記憶エリアに記憶させることもできる。したがって、通信網などの情報を伝送する機能を有する媒体によって、広告枠取引プログラムを伝送することができるので、広告枠取引装置１の各手段として機能させるための広告枠取引プログラムを伝送する情報伝送媒体として提供することもできる。
【０１３４】
このように、予め配分された時間帯に表示装置２７の表示部にコンテンツを表示させることができる広告枠が設定され、広告枠の競売による取引を管理するにあたって、広告枠取引装置１は、コンテンツ記憶部１８と、入札制御部１３と、入札状況記憶部１４と、コンテンツ制御部１７とを含んで構成される。コンテンツ記憶部１８によって、広告枠の競売に情報通信網２８を介する通信によって参加する入札者を識別するための識別情報と、入札者が希望する広告枠に表示されるべきコンテンツを表すコンテンツデータとが、互いに関連付けられた状態で記憶される。入札制御部１３によって、広告枠の競売に入札する入札者の数、および入札者によって提示された入札金額に応じて、入札者のコンテンツを表示させる時間帯を再配分した広告枠が再設定される。入札状況記憶部１４によって、入札制御部１３によって再設定された広告枠に関する広告枠情報が記憶される。コンテンツ制御部１７によって、競売期間の終了後に、入札状況記憶部１４に記憶される広告枠情報に従って、広告記憶部に記憶されるコンテンツデータの中から再設定後の広告枠を落札した入札者のコンテンツデータが、表示装置２７へ配信される。
【０１３５】
入札制御部１３は、入札金額に応じた重み付けを行って広告枠を再設定するので、入札者が納得しやすい広告枠を提示することができる。これによって、広告枠取引装置１は、入札者に販売する広告枠を短時間で自動的に再設定して、複数の入札者に効率良く複数の広告枠を販売することができる。
【０１３６】
また入札制御部１３は、全ての入札者の広告枠を再設定するので、最高額入札者のみならず、最高額入札者以外の入札者に対しても、再設定された広告枠を提示することができる。したがって、広告枠取引装置１は、１つの広告枠の競売において、最高額入札者および最高額入札者以外の入札者に、複数の広告枠を効率良く販売することができる。
【０１３７】
またコンテンツ制御部１７によって、広告枠の競売期間の終了後に、表示装置２７に落札者のコンテンツが自動的に配信されるので、表示装置２７の管理を容易に行うことができる。これによって、広告枠取引装置１は、広告枠の販売からコンテンツの配信までを、自動的に効率良く行うことができる。
【０１３８】
さらに、広告枠取引装置１は、入札者情報記憶部１５をさらに含んで構成される。入札者情報記憶部１５によって、入札者の識別情報と、入札者の連絡先を表す連絡先情報とが、互いに関連付けられた状態で記憶される。入札制御部１３によって、入札者情報記憶部１５に記憶される入札者の連絡先情報が示す連絡先へ、広告枠情報が送信される。
【０１３９】
これによって、入札者は、再設定された広告枠の時間帯、すなわち自分のコンテンツが表示される時間帯を知ることができる。仮に入札者が、再設定された時間帯に不服があるときには、入札者は、たとえば現在の入札金額よりも高額の入札金額を再度提示して広告枠を変更する、または入札を取消すなどの対応を行うことができる。したがって、入札者は、再設定された広告枠を予め確認し、納得した広告枠を購入することができる。これによって、広告枠販売装置は、入札者が納得する広告枠の競売を、自動的に効率良く行うことができる。
【０１４０】
さらに、入札制御部１３によって、入札者の数が複数であるとき、入札金額が最も高額の入札者の広告枠が、競売開始時の広告枠の時間帯と同一の時間帯の広告枠に再設定され、複数の入札者のうち入札金額が最も高額の入札者以外の残余の入札者の広告枠が、競売開始時の広告枠の時間帯とは異なる他の時間帯の広告枠に再設定される。
【０１４１】
これによって、最高額入札者は、希望する時間帯の広告枠の入札を継続することができる。最高額入札者以外の残余の入札者は、希望する時間帯とは異なる時間帯の広告枠について確認し、広告枠を購入する予算に応じた広告枠の購入を検討することができる。仮に競売の対象となっている広告枠以外に空いている広告枠、すなわち購入者が決まっていない広告枠がある場合、広告枠販売装置は、最高額入札者以外の残余の入札者に、その空いている広告枠を提示することができる。したがって、広告枠販売装置は、複数の入札者に対して、競売対象の広告枠および競売対象の広告枠とは異なる広告枠を、効率良く同時に販売することができる。
【０１４２】
さらに、入札制御部１３によって、競売開始時の広告枠の時間帯よりも前でかつ競売開始時の広告枠の時間帯に最も近接する時間帯の広告枠、および競売開始時の広告枠の時間帯よりも後でかつ競売開始時の広告枠の時間帯に最も近接する時間帯の広告枠のうちいずれか一方の広告枠に、残余の入札者のうち入札金額が高額の入札者から順次的に、他の時間帯の広告枠が再設定される。
【０１４３】
これによって、最高額入札者以外の入札者のうち入札金額が高額の入札者から順次的に、本来希望していた広告枠の時間帯に最も近接する時間帯の広告枠を購入する機会が得られる。また、広告枠販売装置は、競売の対象となっている時間帯の広告枠の前後に最も近接する時間帯の広告枠をも、入札者に効率良く販売することができる。
【０１４４】
さらに、入札制御部１３によって、入札者の数が複数であるとき、競売開始時の広告枠の時間帯が入札者の数で分割され、分割された複数の時間帯が複数の入札者の広告枠に再設定される。
【０１４５】
これによって、同じ時間帯の広告枠を複数の入札者が分け合って購入することができる。したがって、入札者は、入札金額に応じた長さの時間帯の広告枠を購入することができる。また広告枠の販売者は、競売を開始する前に広告枠の時間帯を細かく設定する必要がないので、広告枠を容易にかつ効率良く販売することができる。
【０１４６】
さらに、入札制御部１３によって、複数の入札者の中で入札金額が高額の入札者から順次的に、長時間でかつ早い時刻の時間帯の広告枠に、複数の入札者の広告枠が再設定される。
【０１４７】
これによって、入札金額が高額の入札者は、入札金額が低額の入札者よりも広告効果を高めることができる。入札金額が低額の入札者は、短い時間の広告枠に、スポット的にコンテンツを表示することができる。したがって、広告枠販売装置は、入札者のニーズに沿った広告枠を自動的に各入札者に提供することができる。
【０１４８】
さらに、予め配分された時間帯に表示装置２７の表示部にコンテンツを表示させることができる広告枠が設定され、広告枠の競売による取引を管理するにあたって、広告枠取引方法は、広告記憶工程と、入札制御工程と、入札状況記憶工程と、広告制御工程とを含む。広告記憶工程によって、広告枠の競売に情報通信網２８を介する通信によって参加する入札者を識別するための識別情報と、入札者が希望する広告枠に表示されるべきコンテンツを表すコンテンツデータとが、互いに関連付けられた状態で記憶される。入札制御工程によって、広告枠の競売に入札する入札者の数、および入札者によって提示された入札金額に応じて、入札者のコンテンツを表示させる時間帯を再配分した広告枠が再設定される。入札状況記憶工程によって、入札制御工程によって再設定された広告枠に関する広告枠情報が記憶される。広告制御工程によって、競売期間の終了後に、入札状況記憶工程で記憶される広告枠情報に従って、広告記憶工程で記憶されるコンテンツデータの中から再設定後の広告枠を落札した入札者のコンテンツデータが、表示装置２７へ配信される。
【０１４９】
入札制御工程によって、入札金額に応じた重み付けを行って広告枠を再設定するので、入札者が納得しやすい広告枠を提示することができる。これによって、広告枠取引方法では、入札者に販売する広告枠を短時間で自動的に再設定して、複数の入札者に効率良く複数の広告枠を販売することができる。
【０１５０】
また入札制御工程によって、全ての入札者の広告枠を再設定するので、最高額入札者のみならず、最高額入札者以外の入札者に対しても、再設定された広告枠を提示することができる。したがって、広告枠取引方法では、１つの広告枠の競売において、最高額入札者および最高額入札者以外の入札者に、複数の広告枠を効率良く販売することができる。
【０１５１】
また広告制御工程によって、広告枠の競売期間の終了後に、表示装置２７に落札者のコンテンツが自動的に配信されるので、表示装置２７の管理を容易に行うことができる。これによって、広告枠取引方法では、広告枠の販売からコンテンツの配信までを、自動的に効率良く行うことができる。
【０１５２】
さらに、広告枠取引プログラムは、コンピュータを、広告枠取引装置１として機能させる。これによって、コンピュータを、広告枠取引装置１として機能させる広告枠取引プログラムを提供することができる。
【０１５３】
さらに、コンピュータ読み取り可能な記録媒体は、広告枠取引プログラムを記録する。これによって、広告枠取引プログラムを記録するコンピュータ読み取り可能な記録媒体を提供することができる。
【符号の説明】
【０１５４】
１  広告枠取引装置
６  オークションシステム
７  広告枠取引システム
１１  入札者認証部
１２  通信部
１３  入札制御部
１４  入札状況記憶部
１５  入札者情報記憶部
１６  広告枠記憶部
１７  コンテンツ制御部
１８  コンテンツ記憶部
１９  コンテンツ登録部
２０  料金徴収部
２１  コンテンツ配信部
２６  入札者端末
２７  表示装置
２８  情報通信網
２９  通信線
３１  登録コンテンツ情報
３２  入札者情報
３４  広告枠確定情報
３６  入札状況情報
５１  端末装置
５２  オークション管理サーバ
５３  広告枠情報管理サーバ
５４  取引実行システム
５５  ネットワーク
５６  市場管理部
５７  広告送出管理部
５８  視聴者端末
５９  メディア端末
６０  スポンサー端末
【図１】
2011022871.tif 000003
【図２】
2011022871.tif 000004
【図３】
2011022871.tif 000005
【図４】
2011022871.tif 000006
【図５】
2011022871.tif 000007
【図６】
2011022871.tif 000008
【図７】
2011022871.tif 000009
【図８】
2011022871.tif 000010
【図９】
2011022871.tif 000011
【図１０】
2011022871.tif 000012
【図１１】
2011022871.tif 000013
【図１２】
2011022871.tif 000014
【図１３】
2011022871.tif 000015
【図１４】
2011022871.tif 000016